(57)【要約】      （修正有）【課題】帯状部材を取り外し可能に保持する帯状部材保持具を提供することにある。【解決手段】帯状部材保持具１は、本体２と、本体２に設けられ、幅方向に沿って折り曲げられたラバーバンドの折曲部分の内側に挿入可能な挿入部４と、本体２に設けられ、挿入部４から所定距離あけて配置され、折り曲げられたラバーバンドを外側から挟持可能な挟持部６と、を有する。本体２には保持具８が取り付けられ、保持具８の物品取付部１８に鍵等の所望の物品を取り付けたり帯状部材保持具１をバッグ等に取り付けることによってキーホルダのように使用することができる。【選択図】図１
0003210695.tif 000002
【実用新案登録請求の範囲】
【請求項１】
帯状部材を保持するための帯状部材保持具であって、
本体と、
前記本体に設けられ、幅方向に沿って折り曲げられた前記帯状部材の折曲部分の内側に挿入可能な挿入部と、
前記本体に設けられ、前記挿入部から所定距離あけて配置され、折り曲げられた前記帯状部材を外側から挟持可能な挟持部と、を有する、
ことを特徴とする帯状部材保持具。
【請求項２】
前記本体は、対向する一対の側壁部を備え、
前記挿入部は、前記側壁部の内面から内側に向かって突出する突出部である、
請求項１に記載の帯状部材保持具。
【請求項３】
前記突出部は、一対の前記側壁部の内面からそれぞれ内側に向かって突出するように一対設けられる、
請求項２に記載の帯状部材保持具。
【請求項４】
前記挟持部は、環状に形成される、
請求項１から請求項３のいずれか１項に記載の帯状部材保持具。
【請求項５】
前記本体は、対向する一対の側壁部を備え、
前記挟持部は、一対の前記側壁部の間を連結するとともに、互いに所定距離あけて配置される一対の連結バーを有する、
請求項１から請求項４のいずれか１項に記載の帯状部材保持具。
【請求項６】
前記本体は、対向する一対の側壁部と、
前記側壁部を連結する上壁部と、を有し、
前記挿入部及び前記挟持部は、前記側壁部に設けられ、
前記挟持部は、前記側壁部において、前記挿入部を挟んで前記上壁部とは反対側に設けられる、
請求項１から請求項５のいずれか１項に記載の帯状部材保持具。
【請求項７】
一端が前記本体に装着されるとともに、他端に所望の物品を保持するための保持具を更に有する、
請求項１から請求項６のいずれか１項に記載の帯状部材保持具。
【考案の詳細な説明】
【技術分野】
【０００１】
本考案は、帯状部材保持具に関し、例えばキーホルダのような、小物等の物品を保持するため、あるいはバッグ等の物品に取り付けるための物品保持具の本体に、例えばテープや環状のバンドのような、帯状部材を保持するための帯状部材保持具に関する。
【背景技術】
【０００２】
従来、キーホルダ等の物品保持具としては、例えば特許文献１に記載のようなものがある。この特許文献１に記載のキーホルダは、キーを保持する保持部分と、保持部分に取り付けられたプレート本体とを有する。
【先行技術文献】
【特許文献】
【０００３】
【特許文献１】実用新案登録第３２００７０４号公報
【考案の概要】
【考案が解決しようとする課題】
【０００４】
しかしながら、上記のような構造のキーホルダでは、保持部分とプレート本体とが互いに固定的に連結しているため、プレート本体を保持部分から取り外すことができず、プレート本体を保持部分と別個に用いることができない。
ここで、近年、ラバーバンドのような帯状部材または環状部材をキーホルダにリメイクして持ち運ぶ要望がある。しかしながら、例えば上記の特許文献１のように保持部分にラバーバンドを固定的に連結すると、ラバーバンドを取り外すことができず、様々なラバーバンドを交換してキーホルダにすることができない。また、上記の特許文献１のように保持部分にラバーバンドを固定的に連結すると、ラバーバンドを再び保持部分とは別個にラバーバンドとして使用することができない。
【０００５】
本考案の目的は、帯状部材を保持するための帯状部材保持具であって、帯状部材を取り外し可能に保持する帯状部材保持具を提供することにある。
【課題を解決するための手段】
【０００６】
上記の目的を達成するために、本考案の帯状部材保持具は、帯状部材を保持するための帯状部材保持具であって、本体と、本体に設けられ、幅方向に沿って折り曲げられた帯状部材の折曲部分の内側に挿入可能な挿入部と、本体に設けられ、挿入部から所定距離あけて配置され、折り曲げられた帯状部材を外側から挟持可能な挟持部と、を有する、ことを特徴としている。
このように構成された本考案においては、帯状部材を幅方向に沿って折り曲げ、その折曲部分の内側に挿入部を挿入し、且つ挟持部で帯状部材を外側から挟持することにより、帯状部材を折り曲げた状態で保持することができる。また、挿入部及び挟持部によって帯状部材を保持するので、帯状部材を帯状部材保持具から取り外すことも可能となる。したがって、様々なデザインの帯状部材を取り付けて楽しむことができる。また、帯状部材に孔をあける等の作業を行うことなく帯状部材を保持することができるので、帯状部材保持具から取り外した帯状部材を再び帯状部材保持具とは別個に使用することができる。
【０００７】
本考案では、本体は、対向する一対の側壁部を備え、挿入部は、側壁部の内面から内側に向かって突出する突出部であることが好ましい。
このように構成された本考案においては、挿入部が側壁部の内面から内側に突出する突出部であるので、帯状部材を対向する一対の側壁部の間に配置し、帯状部材の折曲部分に挿入部を挿入すれば、帯状部材が一対の側壁部の間に保持される。したがって、帯状部材を安定して保持することができる。
【０００８】
本考案では、突出部は、一対の側壁部の内面からそれぞれ内側に向かって突出するように一対設けられることが好ましい。
このように構成された本考案においては、突出部が一対設けられるので、帯状部材を、一対の側壁部の間で、一対の突出部及び挟持部で保持することができるので、帯状部材をより安定して保持することができる。
【０００９】
本考案では、挟持部は、環状に形成されることが好ましい。
このように構成された本考案においては、挟持部が環状に形成されているので、帯状部材を外側から挟持するとき、帯状部材が環状の挟持部によって囲まれる。よって帯状部材をより安定して保持することができ、帯状部材が帯状部材保持具から外れるのがより効果的に防止される。
【００１０】
本考案では、本体は、対向する一対の側壁部を備え、挟持部は、一対の側壁部の間を連結するとともに、互いに所定距離あけて配置される一対の連結バーを有することが好ましい。
このように構成された本考案においては、挟持部が側壁部の間を連結する一対の連結バーを有するので、一対の側壁部及び一対の連結バーによって、環状の挟持部が形成される。したがって、帯状部材を挟持部で挟持すると、帯状部材が環状の挟持部によって囲まれるから、帯状部材がより安定して保持され、帯状部材が帯状部材保持具から外れるのがより効果的に防止される。
【００１１】
本考案では、本体は、対向する一対の側壁部と、側壁部を連結する上壁部と、を有し、挿入部及び挟持部は、側壁部に設けられ、挟持部は、側壁部において、挿入部を挟んで上壁部とは反対側に設けられることが好ましい。
このように構成された本考案においては、本体が側壁部と上壁部とを有し、挟持部は、側壁部において挿入部を挟んで上壁部とは反対側に設けられているので、折り曲げられた帯状部材の内側に挿入部を挿入し、帯状部材の外側を挟持部で挟持すると、帯状部材の折曲部分は、上壁部に対向するようになる。よって帯状部材の折曲部分が挿入部と本体の上壁部との間で保持されるから、帯状部材をより安定して保持することができる。
【００１２】
本考案では、一端が本体に装着されるとともに、他端に所望の物品を保持するための保持具を更に有する、ことが好ましい。
【図面の簡単な説明】
【００１３】
【図１】本考案の一実施形態に係る帯状部材保持具の正面図である。
【図２】本考案の一実施形態に係る帯状部材保持具の右側面図である。
【図３】本考案の一実施形態に係る帯状部材保持具の本体の斜視図である。
【図４】本考案の一実施形態に係る帯状部材保持具にラバーバンドを取り付けた状態を示す正面図である。
【図５】図４のＶ−Ｖ断面図である。
【考案を実施するための形態】
【００１４】
以下、本考案の好ましい実施形態を添付図面を参照して説明する。
図１は、本考案の一実施形態に係る帯状部材保持具１の正面図であり、図２は、本考案の一実施形態に係る帯状部材保持具１の右側面図である。本実施形態において、帯状部材保持具１は、例えばキーホルダのように、鍵等の所望の物品を保持するための物品保持具として使用される。また、本実施形態において、帯状部材は、環状のラバーバンド１００（図３及び図４参照）として説明する。
これらの図１及び図２に示すように、本考案の一実施形態に係る帯状部材保持具１は、本体２と、本体２に設けられ、ラバーバンド１００を保持するための挿入部４及び挟持部６と、鍵等の所望の物品を保持するための保持具８と、を有する。
【００１５】
図３は、本考案の一実施形態に係る帯状部材保持具１の本体２の斜視図である。この図３及び前述の図１及び図２に示すように、本体２は、上壁部１０と、上壁部１０の幅方向両端から上壁部１０に対して垂直に且つ互いに平行に延びる一対の側壁部１２と、を有する。したがって、本体２は、全体として略コ字形に形成されている。上壁部１０の幅寸法、すなわち一対の上壁部１０間の距離は、ラバーバンド１００の幅寸法に対応している。
【００１６】
挿入部４は、本体２の一対の側壁部１２の内面１２Ａの略中央から互いに内側に向かって突出する一対の突出部である。一対の挿入部４は、その軸線が、側壁部１２に対して垂直になるように配置されており、また互いの軸線は一直線上に配置される。挿入部４は、本体２の上壁部１０の内面１０Ａから所定距離だけ下方の位置に配置されている。
【００１７】
挟持部６は、本体２の一対の側壁部１２の下端を連結する一対の連結バー１４を有する。連結バー１４は、挿入部４から所定距離だけ下方の位置に、互いに所定距離をあけて平行に配置されている。したがって、連結バー１４及び側壁部１２によって、挟持部６は環状の略矩形状に形成されている。また、挟持部６は側壁部１２の下端に、挿入部４は側壁部１２の略中央に、上壁部１０は側壁部１２の上端に位置するので、挟持部６は、側壁部１２において、挿入部４を挟んで上壁部１０とは反対側に設けられている。
【００１８】
保持具８は、金属製の材料で形成されており、図１及び図２に示すように、本体２に一体的に形成される半円弧状の本体取付部１６と、他端に鍵等の物品が取り付けられる物品取付部１８と、本体取付部１６と物品取付部１８とを連結する連結チェーン２０と、を備える。物品取付部１８は、二重リング式の第一の取付部２２と、フック式の第二の取付部２４とを有する。第二の取付部２４は、第１の取付部２２の内周に収まる寸法に形成されている。
【００１９】
このような構造の帯状部材保持具１は、以下のように使用する。
図４は、本考案の一実施形態に係る帯状部材保持具１にラバーバンド１００を取り付けた状態を示す正面図であり、図５は、図４のＶ−Ｖ断面図である。これらの図４及び図５に示すように、ラバーバンド１００を帯状部材保持具１に取り付ける場合には、ラバーバンド１００を幅方向に沿って折り曲げて、環状の挟持部６に挿入し、ラバーバンド１００の折曲部分１０２の内側に幅方向両側から挿入部４を挿入する。そうすると、図５に示すように、ラバーバンド１００の折曲部分１０２が、挿入部４と挟持部６によって保持される。また、ラバーバンド１００を取り外す場合には、ラバーバンド１００から挿入部４を外し、ラバーバンド１００を引っ張って挟持部６から抜けばよい。
【００２０】
以上のような実施形態によれば、以下のような効果が得られる。
帯状部材保持具１が、本体２と、挿入部４と、挟持部６と、を有しているので、挿入部４及び挟持部６によってラバーバンド１００を保持することができる。よって使用者の好みのラバーバンド１００を帯状部材保持具１に取り付けて、キーホルダのように使用することができる。また、ラバーバンド１００を帯状部材保持具１から取り外すことができるので、ラバーバンド１００を交換して様々なデザインのキーホルダとして使用することができる。さらに、帯状部材保持具１の挿入具４及び挟持部６によってラバーバンド１００を保持することができるので、ラバーバンド１００に孔をあける等の加工を加えることなくラバーバンド１００を保持することができる。よって、ラバーバンド１００を帯状部材保持具１から取り外した後、ラバーバンド１００を再びラバーバンド１００として使用することができる。
【００２１】
挿入部４が、側壁部１２の内面１２Ａから内側に突出する一対の突出部なので、ラバーバンド１００の折曲部分１０２の内側に両側から挿入すれば、ラバーバンド１００を幅方向両側から保持することができ、より安定してラバーバンド１００を保持することができる。
【００２２】
挟持部６が、環状に形成されているので、ラバーバンド１００を内側に挿入することで、２つに重なったラバーバンド１００をまとめて外側から挟持することができ、ラバーバンド１００を確実に保持できるとともに、ラバーバンド１００が帯状部材保持具１から外れるのを防止することができる。
【００２３】
挟持部６が一対の連結バー１４を有し、これらの連結バー１４及び側壁部１２によって環状の挟持部６を形成するので、より安定してラバーバンド１００を保持することができ、簡単な構造でラバーバンド１００が挟持部６から外れるのを防止することができる。
【００２４】
挟持部６が、側壁部１２において、挿入部４を挟んで上壁部１０とは反対側に設けられているので、ラバーバンド１００の折曲部分１０２に挿入部４を挿入し、挟持部６でラバーバンド１００を外側から挟持すると、折曲部分１０２は上壁部１０に対向する。よって、折曲部分１０２を挿入部４と上壁部１０との間で保持することができ、ラバーバンド１００が帯状部材保持具１から外れるのをより効果的に防止することができ、ラバーバンド１００をより安定して保持することができる。
【００２５】
保持具８が設けられているので、帯状部材保持具１にラバーバンド１００を取り付け、保持具８に鍵等の所望の物品を取り付けたり、携帯電話やバッグ等の物品に取り付けたりして、キーホルダのように使用することができる。
【００２６】
本考案は、以上の実施の形態に限定されることなく、例えば、以下のような態様であってもよい。
物品取付部は、二重リング式のものやフック式のものの他、紐等で構成されたストラップ等、任意の構造及び材料のものを採用することができる。
前述の実施形態では、帯状部材保持具１にはラバーバンド１００を保持したが、ラバーバンドのような環状の部材に限らず、例えばテープ等の任意の帯状部材を保持することができる。
挟持部は、連結バー及び側壁部に囲まれて環状に形成されるものに限らず、例えば一方の側壁部と一対のバーによってコ字形に形成されてもよいし、あるいは互いに平行に配置された一対のバーのみで帯状部材を外側から挟持する構成であってもよい。
【００２７】
上壁部は、必ずしも挿入部を挟んで挟持部と反対側に配置されていなくてもよく、挿入部及び挟持部に対する上壁部の位置は、自由に設定することができる。
挿入部は、側壁部から突出する突出部でなくてもよく、例えば帯状部材の折曲部分の内側に挿入されるとともに帯状部材を外側からも把持する把持部であってもよい。
【００２８】
本考案の帯状部材保持具は、キーホルダのように、鍵等の物品を保持するための物品保持具として使用することができる他、例えば帯状部材保持具を携帯電話やバッグ等の物品に取り付けてこれら物品を保持することにより、これら物品の装飾品として使用してもよい。
【符号の説明】
【００２９】
１  帯状部材保持具
２  本体
４  挿入部
６  挟持部
８  保持具
１０  上壁部
１２  側壁部
１４  連結バー
１００  ラバーバンド（帯状部材）
１０２  折曲部分
【図１】
0003210695.tif 000003
【図２】
0003210695.tif 000004
【図３】
0003210695.tif 000005
【図４】
0003210695.tif 000006
【図５】
0003210695.tif 000007